(57)【要約】  第１のトランシーバ（２０）により適用される少なくとも１つの送信設定を適合させるための方法と、無線通信装置（１）と、コンピュータプログラム製品とが提供される。第１のトランシーバ（２０）は、第２のトランシーバ（３０）による通信に応じて所定の周波数帯域で動作するように適合される。第２のトランシーバ（３０）は所定の周波数帯域で動作するように適合される。優先データトラフィックが第２のトランシーバ（３０）によって通信されたかどうかが判定される。優先データトラフィックが第２のトランシーバ（３０）によって通信された場合、送信設定は優先データトラフィックに依存して適合される。
2009510819.tif 000002
【特許請求の範囲】
【請求項１】
第１のトランシーバ（２０）によって適用される少なくとも１つの送信設定を適合させる方法であり、該第１のトランシーバ（２０）は第２のトランシーバ（３０）による通信に応じて所定の周波数帯域で動作するように適合され、該第２のトランシーバ（３０）は、前記所定の周波数帯域で動作するように適合される方法であって、
優先データトラフィックが前記第２のトランシーバ（３０）によって通信されたかどうかを判定するステップと、
優先データトラフィックが前記第２のトランシーバ（３０）によって通信される場合には、前記優先データトラフィックに応じて前記送信設定を適合させるステップと、
を備えることを特徴とする方法。
【請求項２】
優先データトラフィックが前記第２のトランシーバ（３０）によって通信される場合、前記優先データトラフィック用の少なくとも１つの送信パラメータを決定するステップをさらに備え、
前記適合させるステップは、前記決定した送信パラメータに応じて前記送信設定を適合させるステップを備える
ことを特徴とする請求項１に記載の方法。
【請求項３】
優先データトラフィックが通信されたと判定された場合、前記優先データトラフィックのデューティサイクルであって、前記優先データトラフィック用の送信パラメータであるデューティサイクルを決定するステップをさらに備え、
前記適合させるステップは、前記決定したデューティサイクルに応じて前記送信設定を適合させるステップを備える
ことを特徴とする請求項１に記載の方法。
【請求項４】
前記送信設定を適合させるステップは、前記第１のトランシーバ（２０）によって送信されるようにデータフレームのデータペイロードの最大許容サイズを適合させるステップを備えることを特徴とする請求項１に記載の方法。
【請求項５】
前記適合させるステップは、トランスポート接続を確立するためのネゴシエーション処理時に、任意の適合済みの送信設定を通信するステップを備えることを特徴とする請求項１に記載の方法。
【請求項６】
前記適合させるステップは、任意の適合済みの送信設定の情報と共に、前記第１のトランシーバ（２０）から、前記第１のトランシーバ（２０）が接続されている接続先のエンドポイントへメッセージを送信するステップを備えることを特徴とする請求項１に記載の方法。
【請求項７】
前記適合させるステップは、前記第２のトランシーバ（３０）による優先データトラフィックの開始、又は、優先データトラフィックのタイプの変更に応じて、前記第１のトランシーバ（２０）と、該第１のトランシーバ（２０）が接続されている接続先のエンドポイントとの間の接続を切断するステップと、前記第１のトランシーバ（２０）と前記エンドポイント（２）との間の接続を、任意の適合済みの送信設定を用いて確立するステップとを備えることを特徴とする請求項１に記載の方法。
【請求項８】
無線通信装置（１）であって、
所定の周波数帯域で動作するように適合された第１のトランシーバ（２０）であって、プロセッサ（２１）を備える第１のトランシーバ（２０）と、
前記所定の周波数帯域で動作するように適合された第２のトランシーバ（３０）と、
を備え、
前記プロセッサ（２１）は、優先データトラフィックが前記第２のトランシーバ（３０）によって通信されたかどうかを判定するように適合され、さらに、優先データトラフィックが前記第２のトランシーバ（３０）によって通信されたとき、前記優先データトラフィックに応じて前記第１のトランシーバ（２０）によって適用される少なくとも１つの送信設定を適合させる
ことを特徴とする無線通信装置（１）。
【請求項９】
前記プロセッサ（２１）は、優先データトラフィックが前記第２のトランシーバ（３０）によって通信されたとき、前記優先データトラフィック用の少なくとも１つの送信パラメータを決定するように適合され、次いで、前記決定した送信パラメータに応じて前記送信設定を適合させるように適合されることを特徴とする請求項８に記載の無線通信装置（１）。
【請求項１０】
前記プロセッサ（２１）は、優先データトラフィックが前記第２のトランシーバ（３０）によって通信されたとき、前記優先データトラフィックのデューティサイクルであって、前記優先データトラフィック用の送信パラメータであるデューティサイクルを決定するように適合され、次いで、前記決定したデューティサイクルに依存して、前記送信設定を適合させるように適合される、ことを特徴とする請求項８に記載の無線通信装置（１）。
【請求項１１】
前記プロセッサ（２１）は、前記第１のトランシーバ（２０）により送信されるデータフレームのデータペイロードの最大許容サイズを適合させることによって、前記送信設定を適合させるように適合されることを特徴とする請求項８に記載の無線通信装置（１）。
【請求項１２】
前記無線通信装置（１）は、携帯用またはハンドヘルド型の移動無線通信装置と、移動無線端末と、移動電話機と、ページャと、コミュニケータと、電子手帳と、スマートフォンとの少なくともいずれかであることを特徴とする請求項８に記載の無線通信装置（１）。
【請求項１３】
第１のトランシーバ（２０）によって適用される少なくとも１つの送信設定を適合させるように構成されるコンピュータプログラム製品であって、該第１のトランシーバ（２０）は、第２のトランシーバ（３０）による通信に応じて、所定の周波数帯域で動作するように適合され、該第２のトランシーバ（３０）は前記所定の周波数帯域で動作するように適合されるコンピュータプログラム製品であって、
コンピュータ可読記憶媒体に実装されているコンピュータ可読プログラムコードを有するコンピュータ可読記憶媒体を備え、
前記コンピュータ可読プログラムコードは、
優先データトラフィックが前記第２のトランシーバ（３０）によって通信されたかどうかを判定するように構成されるコンピュータ可読プログラムコードと、
優先データトラフィックが前記第２のトランシーバ（３０）によって通信された場合、前記優先データトラフィックに応じて前記送信設定を適合させるように構成されるコンピュータ可読プログラムコードと、
を備えることを特徴とするコンピュータプログラム製品。
【請求項１４】
優先データトラフィックが前記第２のトランシーバ（３０）によって通信される場合、前記優先データトラフィック用の少なくとも１つの送信パラメータを決定するように構成されるコンピュータ可読プログラムコードをさらに備えるコンピュータプログラム製品であって、
前記送信設定を適合させるように構成される前記コンピュータ可読プログラムコードは、前記送信設定を適合させる前記ステップを前記決定した送信パラメータに応じて実行する
ことを特徴とする請求項１３に記載のコンピュータプログラム製品。
【請求項１５】
優先データトラフィックが通信されたと判定された場合、前記優先データトラフィックのデューティサイクルであって、前記優先データトラフィック用の送信パラメータであるデューティサイクルを決定するように構成されるコンピュータ可読プログラムコードをさらに備え、
前記送信設定を適合させるように構成される前記コンピュータ可読プログラムコードは、前記送信設定を適合させる前記ステップを前記決定したデューティサイクルに応じて実行する
ことを特徴とする請求項１３に記載のコンピュータプログラム製品。
【請求項１６】
前記送信設定を適合させるように構成される前記コンピュータ可読プログラムコードは、前記第１のトランシーバ（２０）により送信されるデータフレームのデータペイロードの最大許容サイズを適合させるように構成されるコンピュータ可読コードを備えることを特徴とする請求項１３に記載のコンピュータプログラム製品。
【請求項１７】
前記送信設定を適合させるように構成される前記コンピュータ可読プログラムコードは、トランスポート接続を確立するためのネゴシエーション処理時に、任意の送信設定を通信するように構成されるコンピュータ可読コードを備えることを特徴とする請求項１３に記載のコンピュータプログラム製品。
【請求項１８】
前記送信設定を適合させるように構成される前記コンピュータ可読プログラムコードは、任意の適合済みの送信設定の情報と共に、前記第１のトランシーバ（２０）から、前記第１のトランシーバが接続される接続先のエンドポイントへメッセージを送信するように構成されるコンピュータ可読コードを備えることを特徴とする請求項１３に記載のコンピュータプログラム製品。
【発明の詳細な説明】
【技術分野】
【０００１】
本発明は、無線通信装置内のトランシーバにより適用される少なくとも１つの送信設定を適合させるための方法、装置、及びコンピュータプログラム製品に関する。
【背景技術】
【０００２】
工業・科学・医療用（ＩＳＭ）周波数帯域はデータの無線通信用として利用することができる。ＩＳＭ周波数帯域を処理用として指定する１つの通信規格としてブルートゥース規格がある。また、ＩＳＭ周波数帯域を処理用として指定する別の通信規格として、例えばＩＥＥＥ規格８０２．１１ｂに準拠するＷＬＡＮ（無線ローカルエリアネットワーク）などがある。
【０００３】
異なる通信規格に準拠して適合され、しかも単一の周波数帯域で動作するトランシーバを単一の無線通信装置において提供することができる。この無線通信装置は、移動電話機のような比較的小型のものであってもよい。無線通信装置が比較的小型であれば、トランシーバは比較的近くに位置することになる。したがって、２つのトランシーバ用のアンテナはもまた比較的近くに存在することになる。トランシーバが近くにあると、それらのトランシーバはチャネルとは無関係のすべての入力信号に感応する。したがって、トランシーバはすべての入力信号を処理しなければならなくなる。このことがトランシーバのＲＦフロントエンドを減感したり、ブロックしたりする可能性もある。
【０００４】
上記のような問題を回避するための１つのアプローチとして、媒体アクセス制御（ＭＡＣ）サブレイヤベースのパケットトラフィック・アービトレーション（ＰＴＡ）方式がある。ＰＴＡは、ＷＬＡＮとブルートゥースＭＡＣとの間で時分割トラフィック制御装置のように機能する制御スーパバイザを実装する。この制御スーパバイザは、個々のＭＡＣプロトコルが情報を実際に送出する前にハンドシェイク・メカニズムを用いて、送信の認証を行うのを制御するものである。ＰＴＡ方式に関する１つの問題点として、この方式が、ブルートゥースリンクとＷＬＡＮリンクの双方からの非同期トラフィックに適合する方式ではあるが、例えばブルートゥース・トランシーバからのアプリケーションの同期タイプ又は時間を重視するタイプのデータトラフィックには適合できないという点が挙げられる。同期データトラフィックと、時間を重視するデータトラフィックとが一般に優先データトラフィックである。すなわち音声データパケットを所定の時間内に配信することが望ましい。優先データトラフィックは音声、オーディオ、ビデオ又はファイルデータを含むものであってもよい。
【０００５】
ブルートゥースＷＬＡＮとの共存に起因して生じる可能性がある１つの状況として音声の同時送信があり、この同時送信は、ＷＬＡＮリンクを介する電子メール及びインターネットアクセスのようなブルートゥースリンク及び非同期ＴＣＰ（伝送制御プロトコル）トラフィックよりも優先されるオーディオデータ・トラフィックとなる。優先データトラフィックは、ＨＶ３パケットを用いてブルートゥースＳＣＯ（同期接続向け）リンクを介して送信することができる。ＴＣＰトラフィックは、ＩＥＥＥ８０２．１１ｂ又は８０２．１１ｇで指定されているように、ＷＬＡＮリンクを介して送信することができる。ＳＣＯリンクを使用して、ブルートゥース・トランシーバは１．２５ｍｓ（ミリ秒）の間アクティブになる。次いで、ブルートゥース・トランシーバはウィンドウを離れて２．５ｍｓの間アクティブでない状態になる。ブルートゥース・トランシーバが再びアクティブになるまでのこの２．５ｍｓの間、ＷＬＡＮトランシーバはアクティブになることができる。
【０００６】
ＷＬＡＮ８０２．１１ｂの一般的なフレーム交換時間が図１のテーブルにリストされている。図１から分かるように、ＳＣＯリンクが使用されるとき、フレーム交換総時間が、或る条件の下では、ブルートゥース・トランシーバがアクティブでない時間を超過する場合がある。
【０００７】
上記状況は、例えば、ＰＨＹ（物理チャネル）レートが５．５ｍｂｐ以下であるような状況の場合である。この場合フレーム交換時間は、ＰＨＹレートに応じて、２．６９ｍｓあるいはそれ以上になり得る場合がある。したがって、ＭＡＣ層フレーム交換は、ブルートゥース・トランシーバのアクティブでない時間中には終了しないことになる。ＳＣＯを介するトラフィックが優先されているため、ブルートゥース・トランシーバは次のアクティブになる時刻に送信又は受信を開始することになる。このことが、ブルートゥース・トランシーバとＷＬＡＮトランシーバによる同時送信に起因して生じる上述の問題を引き起こす可能性がある。
【０００８】
ブルートゥース−ＷＬＡＮに起因して問題が生じる可能性がある別の状況として、送信ブルートゥース・アドバンス・オーディオ配信プロファイル（Ａ２ＤＰ）データトラフィック及び非同期ＷＬＡＮ  ＴＣＰデータトラフィックがある。Ａ２ＤＰデータトラフィックは優先データトラフィックであり、ブルートゥースＡＣＬリンクとＤＨ５パケットとを用いて通信することも可能である。ＡＣＬリンクを用いる場合、ブルートゥース・トランシーバは３．７５ｍｓの間アクティブになり、次いで、ブルートゥース・トランシーバが再びアクティブになるまでのこの３．７５ｍｓの間アクティブでない状態となる。図１から分かるように、このことは、ＰＨＹレートが２ｍｂｐ以下であるとき、問題が生じる可能性がある。その場合、フレーム交換レートはＰＨＹレートに応じて、６．６３ｍｓあるいはそれ以上になり得る。
【０００９】
ＰＴＡ方式を用いる場合、ＷＬＡＮトラフィックのフレーム交換時間が、ブルートゥース・トランシーバがアクティブでなかった時間を超過すると、別の悪影響が生じる場合がある。第１に、低いＰＨＹレートが、より長い距離からのアクセス又はセルのエッジにおけるアクセスに通常用いられる。したがって、優先ブルートゥース・トラフィックが通信された場合、ＰＴＡ方式を用いるいずれの装置もアクセスポイントにリンクしているＷＬＡＮを失う可能性がある。第２に、何らかの理由のために数回の再試行後、ＷＬＡＮトランシーバがそのＭＡＣ  ＡＣＫ（メッセージの受信確認）を返すことができなくなったとき、該トランシーバの自動レート・フォールバックメカニズムは送信レートを低いレートへ切り替えることになる。この切り替えは明らかに状況を悪化させることになる。そのため、送信レートは、最低の基本送信レートに達するまで低下することになる。最後に、ブルートゥース・トランシーバとＷＬＡＮトランシーバとを含む装置が切断される。この結果、ＰＴＡ方式では、優先ＢＴトラフィックと非同期ＷＬＡＮトラフィック間の共存問題は解決されない。このような場合、ブルートゥース通信のみが保証される。
【００１０】
これらの問題のうちのいくつかに対するさらなる解決策をＭＡＣ層アプローチにより提供することができる。しかし、ＭＡＣ層アプローチは、ホットスポットにおける場合のように、すでに利用されているアクセスポイントに対して或る種の変更を行うことを要件とするものである。
【発明の開示】
【発明が解決しようとする課題】
【００１１】
本発明のいくつかの実施形態は、単一の周波数帯域を介して通信を行うための第１及び第２のトランシーバを設けて無線通信装置の柔軟性を高めることができる。
【課題を解決するための手段】
【００１２】
本発明の１つの実施形態によれば、所定の周波数帯域で動作するように適合された第２のトランシーバによる通信に応じて、所定の周波数帯域で動作するように適合された第１のトランシーバにより適用される少なくとも１つの送信設定を適合させる方法が、優先データトラフィックが第２のトランシーバにより通信されたかどうかを判定するステップを備える。優先データトラフィックが第２のトランシーバにより通信された場合には、この優先データトラフィックに応じて送信設定が適合される。
【００１３】
優先データトラフィックが第２のトランシーバにより通信された場合には、優先データトラフィック用の少なくとも１つの送信パラメータを決定することができる。次いで、上記適合させるステップは、上記決定した送信パラメータに応じて送信設定を適合させるステップを備えることができる。
【００１４】
優先データトラフィックが通信されたと判定された場合には、優先データトラフィックのデューティサイクルを決定することができる。このデューティサイクルは優先データトラフィック用の送信パラメータであってもよい。上記適合させるステップは上記決定したデューティサイクルに応じて送信設定を適合させるステップを備えることができる。
【００１５】
上記送信設定を適合させるステップは、第１のトランシーバにより送信されるデータフレームのデータペイロードの最大許容サイズを適合させるステップを備えることができる。
【００１６】
上記適合させるステップは、トランスポート接続を確立するためのネゴシエーション処理時に任意の適合済みの送信設定を通信するステップを備えることができる。
【００１７】
上記適合させるステップは、任意の適合済みの送信設定の情報と共に、第１のトランシーバから、該第１のトランシーバが接続されているエンドポイントまでメッセージを送信するステップを備えることができる。
【００１８】
上記適合させるステップは、第２のトランシーバによる優先データトラフィックの開始又は優先データトラフィックのタイプの変更に応じて、第１のトランシーバと、該第１のトランシーバが接続されているエンドポイントとの間の接続を切断するステップを備えることができる。また、上記第１のトランシーバと上記エンドポイントとの間の接続は、任意の適合済みの送信設定を用いて確立することができる。
【００１９】
第２の実施形態によれば、無線通信装置が、所定の周波数帯域で動作するように適合された第１のトランシーバであって、プロセッサを有する第１のトランシーバと、所定の周波数帯域で動作するように適合された第２のトランシーバとを備える。上記プロセッサは、優先データトラフィックが第２のトランシーバにより通信されたかどうかを判定するように適合され、次いで、優先データトラフィックが第２のトランシーバにより通信されたとき、該優先データトラフィックに応じて、第１のトランシーバにより適用される少なくとも１つの送信設定を適合させるように適合される。
【００２０】
上記プロセッサは、優先データトラフィックが第２のトランシーバにより通信されたとき、該優先データトラフィック用の少なくとも１つの送信パラメータを決定し、次いで、この決定した送信パラメータに応じて送信設定を適合させるように適合することができる。
【００２１】
上記プロセッサは、優先データトラフィックが第２のトランシーバにより通信されたとき、上記優先データトラフィックのデューティサイクルであって、該優先データトラフィック用の送信パラメータになり得る上記デューティサイクルを決定し、次いで、この決定したデューティサイクルに応じて送信設定を適合させるように適合することができる。
【００２２】
上記プロセッサは、第１のトランシーバにより送信されたデータフレームのデータペイロードの最大許容サイズを適合させることによって、送信設定を適合させるように適合することができる。
【００２３】
上記無線通信装置は携帯用又はハンドヘルド型移動無線通信装置、移動無線端末、移動電話機、ページャ、コミュニケータ、電子手帳、あるいはスマートフォンであってもよい。
【００２４】
第３の実施形態によれば、コンピュータプログラムコード手段がコンピュータ機能を有する電子装置によって実行されるとき、コンピュータプログラム製品が、少なくとも１つの送信設定を適合させる方法を実行するための前記コンピュータプログラムコード手段を備える。
【００２５】
第４の実施例によれば、コンピュータプログラムコード手段がコンピュータ機能を有する電子装置により実行されるとき、コンピュータプログラム製品を内部に格納しているコンピュータ可読媒体が、少なくとも１つの送信設定を適合させる方法を実行するための前記コンピュータプログラムコード手段を備える。
【００２６】
さらなる実施形態が従属クレームに規定されている。
【００２７】
本発明のいくつかの実施形態は、適合させるために第１のトランシーバが適用する１乃至いくつかの送信設定の適用を許可することができる。したがって、第２のトランシーバがアクティブでなくなる時間を第１のトランシーバの交換時間が超過しないことを確かめることができる。そのため、優先データトラフィックが通信されたとき、第１及び第２のトランシーバは間欠的に動作することが可能となり、それによって、通信装置の柔軟性が増すことになる。
【００２８】
本発明のいくつかの実施形態では、コンピュータプログラム製品は、第１のトランシーバにより適用される少なくとも１つの送信設定を適合させるように構成される。上記第１のトランシーバは、第２のトランシーバによる通信に応じて所定の周波数帯域で動作するように適合される。上記第２のトランシーバは所定の周波数帯域で動作するように適合される。コンピュータプログラム製品は該製品で実行されるコンピュータ可読プログラムコードを有するコンピュータ可読記憶媒体を含む。コンピュータ可読プログラムコードは、優先データトラフィックが第２のトランシーバにより通信されたかどうかを判定するように構成されるコンピュータ可読プログラムコードと、優先データトラフィックが第２のトランシーバにより通信された場合には、該優先データトラフィックに応じて送信設定を適合させるように構成されるコンピュータ可読プログラムコードとを含む。
【００２９】
いくつかの別の実施形態では、コンピュータ可読プログラムコードは、優先データトラフィックが第２のトランシーバにより通信された場合、優先データトラフィック用の少なくとも１つの送信パラメータを決定するように構成される。送信設定を適合させるように構成されたコンピュータ可読プログラムコードは上記決定した送信パラメータに応じて送信設定を適合させるステップを実行する。
【００３０】
いくつかの別の実施形態では、優先データトラフィックが通信されたと判定された場合、コンピュータ可読プログラムコードは、優先データトラフィック用の送信パラメータである優先データトラフィックのデューティサイクルを決定するように構成される。送信設定を適合させるように構成されたコンピュータ可読プログラムコードは、上記決定したデューティサイクルに応じて送信設定を適合させるステップを実行する。
【００３１】
いくつかの別の実施形態では、送信設定を適合させるように構成されるコンピュータ可読プログラムコードは、第１のトランシーバにより送信されるデータフレームのデータペイロードの最大許容サイズを適合させるように構成されるコンピュータ可読コードを含む。
【００３２】
いくつかの別の実施形態では、送信設定を適合させるように構成されるコンピュータ可読プログラムコードは、トランスポート接続を確立するために任意の適合済みの送信設定をネゴシエーション処理時に通信するように構成されるコンピュータ可読コードを含む。
【００３３】
いくつかの別の実施形態では、送信設定を適合させるように構成されるコンピュータ可読プログラムコードは、任意の適合済みの送信設定の情報と共に、第１のトランシーバから、第１のトランシーバが接続する接続先であるエンドポイントへメッセージを送信するように構成されるコンピュータ可読コードを含む。
【発明を実施するための最良の形態】
【００３４】
以下において、本発明の実施形態を示す添付図面を参照しながら、より詳細に本発明について説明する。しかしながら、本発明は本明細書の記載に限定されると解釈すべきではない。むしろこれら実施例は本開示が完全であり完璧であって、本発明の範囲を当業者に十分に伝えるために提供するものである。
【００３５】
種々の要素について説明するために、第１、第２、などの用語を本明細書で使用することがあるが、これらの要素を上記用語によって限定すべきではないことは理解されよう。これらの用語は単に１つの要素を別の要素と区別するために使用されているにすぎない。したがって、後述する第１の要素は、本発明の範囲から逸脱することなく、第２の要素と命名することも可能である。さらに、本明細書で使用されているように、単数形「ａ」、「ａｎ」及び「ｔｈｅ」は、文脈によって別様に示されていない限り、複数形も同様に含むことを意図するものである。本明細書で使用されているように、「を備えている（comprising）」又は「を備える（comprises）」という用語はオープンエンドスタイルの用語であって、記述した１つ以上の要素と、ステップと、機能との少なくともいずれかを含むものであるが、１つ以上の記述されていない要素と、ステップと、機能との少なくともいずれかを除外するものではないことも理解されよう。「and／or」という用語は１つ以上の関連づけられ、リストされた項目の任意の、及び、すべての組み合わせを含むものである。本明細書で使用されているように、ラテン語のフレーズ「たとえば（exempli gratia）」に由来する普通の略語「e.g.」を用いて、一般的な例又は前述の項目の例を導入したり、指定したりすることができるが、この略語はそのような項目の限定を意図するものではない。
【００３６】
要素が、他の要素に「接続」されていると述べられている場合、それは、他の要素に直接接続することができ、または介在要素が存在してもよいことと理解されたい。これに対して、要素が、他の要素に「直接接続」または「直接結合」されていると述べられている場合、それは、介在要素が存在しないと理解されたい。例示の要素のサイズと相対的な向きが縮尺どおり図示されず、場合よってはそれらが説明の便宜上誇張されていることもあることも理解されたい。同一の番号は図面の説明を通じて同一の要素を示すものとする。
【００３７】
方法、無線通信端末及びコンピュータプログラム製品を示すブロック図と動作説明図の少なくともいずれかを参照しながら、本発明に準拠する実施形態について説明する。理解すべきことだが、ブロック図と動作説明図との少なくともいずれかの個々のブロック、並びに、ブロック図と動作説明図との少なくともいずれかにおけるブロックの組み合わせを、無線周波数と、アナログとデジタルのハードウェアとの少なくともいずれかと、コンピュータプログラム命令との少なくともいずれかとによって実現することが可能である。コンピュータプログラム命令は、該命令が、コンピュータ及びプログラム可能なデータ処理装置の少なくともいずれかのプロセッサにおいて実行され、ブロック図や動作ブロック若しくはブロックの少なくともいずれかにおいて特定される機能／動作を実行するための手段を生成するように、汎用コンピュータ、特定用途コンピュータ、ＡＳＩＣ、及び無線端末内の他のプログラム可能なデータ装置の少なくともいずれかのプロセッサに提供されてもよい。いくつかの代替的な実施形態において、ブロックにおいて規定される機能／動作は、動作図に示される順番から外れて実行されてもよい。例えば、連続して示される２つのブロックは実際にはほぼ同時に実行することも可能であるし、あるいは、これらのブロックは、そこに含まれている機能／動作に応じて逆の順序で実行されることも時としてある。
【００３８】
図２は無線通信装置１を例示する図である。この無線通信装置は、第１の通信規格に従って第１の外部通信装置２と無線で通信するように適合されている。また、無線通信装置１は第２の通信規格に従って第２の外部装置３と無線で通信するように適合されている。第１及び第２の通信規格は、２．４ＧＨｚ周辺のＩＳＭ周波数帯域のような共通の周波数帯域での動作を指定することができる。第１の通信規格は、８０２．１１ｂ及び８０２．１１ｇのような任意のＩＥＥＥ８０２．１１規格のようなＷＬＡＮ規格などであってもよい。第２の通信規格はブルートゥース１．０のような任意の利用可能なブルートゥース規格であってもよい。ブルートゥースとＷＬＡＮの双方を無線短距離通信用として使用してもよい。
【００３９】
無線通信装置１は第１と第２のトランシーバ２０、３０（図３）を備える。第１のトランシーバ２０は第１の通信規格に従って通信用として適合させることができる。したがって、第１のトランシーバ２０はＷＬＡＮトランシーバであってもよい。第２のトランシーバ３０は第２の通信規格に従って通信用として適合させることができる。したがって、第２のトランシーバ３０はブルートゥース・トランシーバであってもよい。
【００４０】
優先データトラフィックとも呼ばれる同期データトラフィックと、時間を重視するデータトラフィックとの少なくともいずれかは、第２のトランシーバ３０により送信することができる。非同期データトラフィックと同期データトラフィックとの少なくともいずれかは第１のトランシーバ２０により送信することができる。第１の通信規格に従ってデータトラフィックを通信するためのフレーム交換時間は、先を見越した行動を何らとることなく、第２のトランシーバ３０が、例えば背景技術の説明で記載したような第２の通信規格に従ってアクティブでなくなる時間を超過することになる。第２のトランシーバ３がアクティブになると、データの送受信の双方を行うことが可能となる。フレーム交換時間の間、第１のトランシーバ２０はデータの送信のみならずこの送信に応じてＡＣＫの受信を行うことも可能となる。
【００４１】
非同期データトラフィック又はデータフレームが第１のトランシーバ２０により通信されると、優先データトラフィックが第２のトランシーバ３０により通信されたかどうかが判定される。優先データトラフィックが第２のトランシーバ３０により通信された場合には、第１のトランシーバ２０により適用される少なくとも１つの送信設定が適合されることになる。（単複の）送信設定を適合して、フレーム交換時間が第２のトランシーバ３０のアクティブでない時間を超過しないようにすることが可能となる。
【００４２】
（単複の）送信設定を適合させることによって、第１の通信規格に従う通信が第２の通信規格に従う通信により中断されなくなることが確かめられる。したがって、第１のトランシーバ２０用のリンクが、第２のトランシーバ３０によるオーバラップ通信に起因して失われるようなことはなくなる。さらに、第１のトランシーバ２０により適用されるいずれの自動レート・フォールバックメカニズムも、オーバラップ通信による中断に起因して実行されなくなる。この結果、第１のトランシーバ２０によるデータトラフィックと共に、第２のトランシーバ３０によって優先トラフィックデータを間欠的に通信することが可能となる。したがって、リンクを失うリスクを冒すことなく間欠的送信が行われなくなる場合と比較して、無線通信装置１の柔軟性が改善されることになる。また、トランシーバのＲＦフロントエンドが減感されたり、ブロックされたりすることはなくなる。
【００４３】
１つの実施形態では、第２のトランシーバ３０は、単一の送信方式に従って優先データトラフィックを送信するように適合されるにすぎない。次いで、優先データトラフィックのデューティサイクルは、第１のトランシーバ２０により認知できるようになる。この結果、優先トラフィックデータを通信する旨の、若しくは、このデータを通信する予定である旨の通知に応じて、第１のトランシーバ２０用の（単複の）送信設定を適合できることになる。次いで、上記通知に応じて適用される（単複の）送信設定をメモリから取り出すことが可能となる。例えば、利用可能なＰＨＹレートに依存して（利用可能なＰＨＹレートに応じて）様々な設定が必要となる場合もある。
【００４４】
別の実施形態では、第２のトランシーバ３０は様々な種類の優先トラフィックデータを送信するように適合される。これらの様々な種類のトラフィックデータは異なるトラフィックチャネル形式を介して通信することができる。次いで、優先トラフィックデータに依存して（例えば優先トラフィックデータ用の少なくとも１つの送信パラメータなどに依存して）、第１のトランシーバ２０用の（単複の）送信設定を適合させることができる。
【００４５】
第２のトランシーバ３０からの優先データトラフィックの１例として、ＨＶ３パケットを用いてブルートゥースＳＣＯリンクを介して送信される音声がある。別の優先データトラフィックの１例として、ＤＨ５パケットを用いてブルートゥースＡＣＬリンクを介して送信されるブルートゥースＡ２ＤＰデータトラフィックがある。優先データトラフィックは、該トラフィックが生成された後の所定の時間のような所定時間内に配信すべきデータトラフィックであってもよい。この時間は、使用する通信規格により指定することができる。優先データは音声、オーディオ、ビデオ又はファイルデータなどを含むものであってもよい。
【００４６】
第２の通信規格に準拠する優先データトラフィック用の送信パラメータは、例えば、優先データトラフィックのデューティサイクルと、使用中のブルートゥースプロファイルと組み合わされた優先データトラフィックの送信に用いるパケットタイプとの少なくともいずれかであってもよい。これらの送信パラメータのうちの少なくとも１つを知ることによって、第２の通信システムに従うアクティブでない時間を決定することができる。第１のトランシーバ２０用の（単複の）送信設定を適宜適合してもよい。例えば、優先データトラフィックが第２のトランシーバ３０により通信されたと判定された場合には、優先データトラフィックのデューティサイクルは、第１のトランシーバ２０により決定することができる。上記デューティサイクルは、ブルートゥースプロファイル情報と組み合わされたパケットタイプのような任意の受信済みの送信パラメータから決定してもよい。次いで、第１のトランシーバ２０用の（単複の）送信設定は、上記決定したデューティサイクルに依存して適合させることができる。ＨＶ３パケットが使用されていることが判っている場合には、フレーム交換時間を最大２．５ｍｓにするように決定してもよい。これに応じて、適宜（単複の）送信設定を適合させることができる。ＤＨ５パケットを持つＡ２ＤＰプロファイルが使用されていることが判っている場合には、フレーム交換時間を最大３．７５ｍｓにするように決定してもよい。これに応じて、適宜（単複の）送信設定を適合させることができる。
【００４７】
適合できる１つの送信設定は、ＭＡＣデータフレームのデータペイロードの最大許容サイズとなる。このデータペイロードは、ＴＣＰ最大送信単位（ＭＴＵ）と呼ぶこともできる。データペイロードの最大許容サイズは、データペイロードの最大バイト数を変更することにより適合させることができる。例えば、ＨＶ３パケットタイプを有するブルートゥースＳＣＯリンクを使用する場合、データペイロードは１５０バイトとなるように適合させることができる。この場合、フレーム交換時間は２．５ｍｓを超えることはない。同様に、ＤＨ５パケットタイプを有するブルートゥースＡ２ＤＰプロファイルリンクを使用する場合には、データペイロードは２７５バイトとなるように適合させることができる。この場合、フレーム交換時間は３．７５ｍｓを超えることはない。優先データトラフィックが第２のトランシーバ３０により通信されない場合には、データペイロードは１５００バイトとなるように適合させることができる。
【００４８】
図３は第１と第２のプロトコルスタック１０、１１の一部を例示する図である。第１のプロトコルスタック１０は、ＷＬＡＮ用の１つのプロトコルスタックの下位のプロトコルの実施形態を示すものである。第２のプロトコルスタック１１は、ブルートゥース用の１つのプロトコルスタックの下位のプロトコルの実施形態を示すものである。第１のプロトコル１０は、物理層（ＰＨＹ）、ＭＡＣ層、ネットワーク層、及びトランスポート層プロトコルを備えることができる。第２のプロトコルスタックは、物理層、ベースバンド（ＢＢ）層（すなわちＭＡＣ層）、リンク管理者（ＬＭ）層、及びホストコントローラ・インタフェース（ＨＣＩ）層プロトコルを備えることができる。
【００４９】
図４は無線通信装置１の構成要素を例示する図である。無線通信装置１は第１のトランシーバ２０を備える。第１のトランシーバ２０は、第１のプロセッサ２１によりまとめて示されている１乃至いくつかのプロセッサを備えるものであってもよい。第１のトランシーバ２０はまた、メモリ２２によりまとめて示されている１乃至いくつかのメモリを備えるものであってもよい。メモリ２２は、トランシーバ２０により必要とされる（プロセッサ２１が必要とするような）何らかのソフトウェアが実装されたプロトコル層用のソフトウェアを備えることができる。また、無線通信装置１は第２のトランシーバ３０を備える。第２のトランシーバ３０は、第２のプロセッサ３１によりまとめて例示されている１乃至いくつかのプロセッサを備えるものであってもよい。第２のトランシーバ３０はまた、メモリ３２によりまとめて例示されている１乃至いくつかのメモリを備えるものであってもよい。メモリ３２は、トランシーバ３０により必要とされる（プロセッサ３１が必要とするような）何らかのソフトウェアが実装されたプロトコル層用のソフトウェアを備えるものであってもよい。
【００５０】
第１のプロトコルスタック１０のトランスポート層プロトコルはＴＣＰ（伝送制御プロトコル）であってもよい。第１のプロセッサ２１は送信層プロトコルを実装するように適合させることができる。さらに、第１のプロセッサ２１は（単複の）送信設定を適合させるように適合することができる。
【００５１】
優先データトラフィック用の任意の送信パラメータはＨＣＩ層プロトコルから提供することも可能である。第２のプロセッサ３１はＨＣＩ層プロトコルを実装するように適合させることができる。第２のプロセッサ３１はまた、優先トラフィックデータ用の任意の（単複の）送信パラメータを提供するように適合させることができる。第１及び第２のプロトコルスタック１０、１１の層の間で（単複の）送信パラメータを通信することができる。したがって、第１のトランシーバ２０と第２のトランシーバ３０とは動作可能に接続されることになる。例えば、ＨＣＩ層プロトコルはＴＣＰ層プロトコルと動作可能に接続することができる。ＨＣＩ層プロトコルはＴＣＰ層プロトコルに直接接続してもよい。すでにマーケットにある既存の装置のＭＡＣ／ＢＥ層プロトコルの変更が不要となるため、ＭＡＣ／ＢＢ層プロトコルの上位の層において本発明のいくつかの実施形態を実施すると好適である。
【００５２】
第１のトランシーバ２０と、該第１のトランシーバ２０が動作可能に接続されている接続先であるエンドポイントとの間でデータペイロードの最大許容サイズを通信することができる。第１のトランシーバ２０と第１の外部装置２のトランシーバとはデータトラフィック用のエンドポイントであってもよい。これらのエンドポイント間でトランスポート接続を確立するためのネゴシエーション処時にデータペイロードの最大サイズを通信することができる。上記接続はＴＣＰ接続などであってもよい。
【００５３】
優先データの送信の開始などに応じて（単複の）送信設定の適合化を行うことができる。例えば、第２のトランシーバ３０が優先データトラフィックの通信を開始したとき、第１のトランシーバ２０は動作中であってもよい。第２のトランシーバ３０は優先データトラフィックの通信を開始する旨を通知することができる。必要に応じて、優先データトラフィック用の任意の送信パラメータを通知することができる。この時、第１のトランシーバ２０（第１のプロセッサ２１など）は前記通知に応じて（単複の）送信設定を適合させることができる。上記とは別に又は上記に加えて、第２のトランシーバ３０により送信される優先データトラフィックの優先データトラフィックタイプの変更に応じて上記適合を行うことができる。優先データトラフィックは、第１の優先データトラフィックのタイプから第２の優先データトラフィックのタイプへ変更することができる。第１の優先データトラフィックのタイプはＳＣＯリンクを介して送信される音声などであってもよい。第２の優先データトラフィックのタイプはＡＣＬリンクを介するＡ２ＤＰデータトラフィックであってもよい。優先データトラフィックのタイプが変更されると、この変更は第２のトランシーバ３０により（第２のプロセッサ３１などにより）通知することができる。さらに、（単複の）送信設定を適合させるのに必要な（単複の）任意の送信パラメータを第２のトランシーバ３０により通知することができる。次いで、前記通知に応じて第２のトランシーバにより（第１のプロセッサ２１により）（単複の）送信設定を適合させることができる。
【００５４】
１つの実施形態では、優先データトラフィックは、現在進行中の通信を第１のトランシーバ２０により開始するか、又は変更することができる。次いで、（単複の）送信設定を適合させる処理は、通信が現在進行中であるエンドポイント間でメッセージを送信するステップを備えることができる。このメッセージは任意の適合済みの送信設定の情報を備えることができる。トランザクションが実行されると、上記メッセージを前記エンドポイント間で通信することができる。これらのトランザクションはＴＣＰトランザクションなどであってもよい。メッセージはエラーメッセージなどであってもよい。このエラーメッセージは、新たなＭＴＵサイズ情報を含むインターネット制御管理（ＩＣＭＰ）エラーメッセージなどであってもよい。このメッセージは例えばインターネット規格ＲＦＣ１１９１に従って通信することができる。
【００５５】
ある実施形態では、第１の通信規格に準拠する現在進行中のセッションが、優先データトラフィックの開始又は変更に応じて第２のトランシーバ３０により切断される。次いで、（単複の）適合済みの送信設定を上述のように決定することができる。（単複の）送信設定が適合された状態で、（単複の）適合済みの送信設定を用いて第１の通信規格に準拠する新たなセッションを確立することができる。第１の通信規格に従って、何らかの送信パラメータに必要な時間を考慮に入れながら、（単複の）送信設定を適合させることも可能である。
【００５６】
第１の通信規格に準拠する送信パラメータは、ＰＨＹレート、ＤＩＰＳ（ＤＣＦ（分散型調整機能：Distributed Coordination Function）フレーム間スペース）、ＰＨＹオーバヘッド、ＭＡＣオーバヘッド、ペイロード、ＩＦＳ（短フレーム間スペース）などであってもよい。また、必要な任意のガード期間とＲＴＳ（送信要求）／ＣＴＳ（クリア・トゥ・センド）との少なくともいずれか、又は、使用中のＣＴＳ−ＴＯ−ＳＥＬＦ信号も考慮に入れることができる。
【００５７】
図５は、第１のトランシーバ２０により適用される少なくとも１つの送信設定を適合させる方法の実施形態を例示する図である。第１のステップ１００において、優先データトラフィックは、第２のトランシーバ３０により通信されたかどうかが判定される。この判定は、例えばフレーム交換が開始される前などに第１のトランシーバ２０により行うことができる。例えば、第２のトランシーバ３０がまさに優先データトラフィックを通信しようとしている旨が通知されたかどうかを判定するようにしてもよい。ステップ１００での応答が「はい」であれば、処理手順はステップ１０１へ進む。ステップ１０１で、優先データトラフィックの少なくとも１つのパラメータが決定される。（単複の）送信設定を適合させるの必要な任意のパラメータを決定してもよい。例えば、第２のトランシーバ３０が出すメッセージ又は情報から（単複の）送信パラメータを決定することができる。上記とは別に、唯一のタイプの優先データトラフィックを送信することができる場合、（単複の）送信設定をメモリ２２に格納することができ、そして、第２のトランシーバ３０からの通知に応じて、上記送信設定を取り出すことができる。この通知は例えばトリガ信号などであってもよい。（単複の）送信パラメータが決定されると、処理手順はステップ１０２へ進む。ステップ１０２で（単複の）送信設定が適合される。この（単複の）送信設定は、例えば上述のように優先データトラフィックに依存して適合される。ステップ１０３で、適合済みの（単複の）送信設定が第１のトランシーバ２０により適用される。第１のトランシーバ２０が動作可能に接続されている接続先のエンドポイントへ上記送信設定のいずれかを通信することによって、上記適合済みの（単複の）送信設定を適用することも可能である。さらに上記に追加して、又は、上記とは別に、第１のトランシーバ２０とエンドポイントとの間で確立された接続を切断することによって適合済みの（単複の）送信設定を適用することができる。次いで、この適合済みの（単複の）送信設定を用いて、第１のトランシーバと前記エンドポイントとの間で新たな接続を確立することができる。適合済みの（単複の）送信設定が適用されると処理手順は終了する。ステップ１０１の応答が「いいえ」の場合には、処理手順はステップ１０４へ進む。ステップ１０４で、適用対象の（単複の）送信設定はいずれの優先データトラフィックにも依存せずに決定される。例えば、事前に適用されたいずれの（単複の）送信設定でも適用することができる。例えば、最大許容データペイロードの設定などを設定してもよい。ステップ１０４後、処理手順は終了する。
【００５８】
本発明による方法を実行するのに、図４に例示のすべてのステップが必ずしも必要というわけではない。例えば、ステップ１０１、１０３及び１０４は、（単複の）送信設定の適合化を行わずにこれらのステップを実行できるので、すべての実施形態において必ずしも必要ではない。
【００５９】
本発明のいくつかの実施形態について単に例示を目的として、２、３のタイプの通信プロトコルタイプを参照しながら説明したにすぎない。しかし、本発明のいくつかの実施形態は別のタイプの通信規格の共存に対しても適用可能である。第１の通信規格は例えばＩＥＥＥ８０２．１１ｇであってもよい。第２の通信規格はブルートゥース２．０であってもよい。さらに、本発明のいくつかの実施形態はまた、ＩＳＭ周波数帯域以外の別の周波数帯域においても実現することができる。また、本発明のいくつかの実施形態はブルートゥース及びＷＬＡＮ以外の通信プロトコルに従って実行することができる。
【００６０】
本発明のいくつかの実施形態では、トラフィックデータは、第２のトランシーバ２０による優先データトラフィックの通信と共に、第１のトランシーバ２０により間欠的に通信することができる。ＭＡＣ層ベースのＰＴＡがＭＡＣ層の上位のプロトコル層の中に存在するため、単独で、あるいは、ＭＡＣ層ベースのＰＴＡ方式と組み合わせて本発明のいくつかの実施形態を使用することができる。さらに、本発明のいくつかの実施形態はロバストなリンク品質を提供することができる。また、双方の通信規格に準拠する送信が間欠的に実行できるため、共存に関する問題が生じた場合、第１の通信規格に準拠するリンクの切断と比べるとスループットが改善される。マーケットにある既存の装置に何ら変更を加えることなく本発明のいくつかの実施形態の実装が可能である。
【００６１】
いくつかの実施形態は、本明細書で説明する方法と機能の実現を可能にするコンピュータプログラム製品を通じて構成することができる。いくつかの実施形態は、コンピュータプログラム製品がロードされると、プロセッサ２１のようなコンピュータ機能を有するシステムで実行することができる。本文脈では、コンピュータプログラム、ソフトウェアプログラム、プログラム製品、あるいはソフトウェアとは、任意のプログラム言語、コード又は表記法で表される１組の命令の任意の表現を意味するものであり、上記１組の命令は、処理機能を有するシステムに特定の機能を直接、又は、別の言語、コード又は表記法への変換後に実行させることを意図するものである。
【００６２】
以上特定の実施形態を参照しながら本発明について説明した。しかし、上記記載の実施形態とは別の実施形態も本発明の範囲で同様に可能である。ハードウェア又はソフトウェアあるいはハードウェアとソフトウェアとを組み合わせることによって上記方法を実行する方法ステップであって、上述の方法ステップとは異なる方法ステップを本発明の範囲で提供することも可能である。上記記載の特徴及びステップとは別の組み合わせで、本発明の上記異なる特徴及びステップを組み合わせることも可能である。本発明の範囲は添付の特許請求の範囲のみによって限定される。
【図面の簡単な説明】
【００６３】
【図１】総交換持続時間に影響を与えるパラメータを示すテーブルである。
【図２】本発明のいくつかの実施形態に係る第１と第２の外部装置に無線で接続される無線通信装置の概略図である。
【図３】本発明のいくつかの実施形態に係るプロトコルスタックのブロック図である。
【図４】本発明のいくつかの実施形態に係る図１の無線通信装置の構成要素のブロック図である。
【図５】本発明のいくつかの実施形態に係る少なくとも１つの送信設定を適合させる方法のフローチャートである。
【図１】
2009510819.tif 000003
【図２】
2009510819.tif 000004
【図３】
2009510819.tif 000005
【図４】
2009510819.tif 000006
【図５】
2009510819.tif 000007
【手続補正書】
【提出日】平成19年7月17日(2007.7.17)
【手続補正１】
【補正対象書類名】明細書
【補正対象項目名】００１０
【補正方法】変更
【補正の内容】
【００１０】
これらの問題のうちのいくつかに対するさらなる解決策をＭＡＣ層アプローチにより提供することができる。しかし、ＭＡＣ層アプローチは、ホットスポットにおける場合のように、すでに利用されているアクセスポイントに対して或る種の変更を行うことを要件とするものである。
特許文献１には、ＩＥＥＥ８０２．１１トランシーバとブルートゥース・トランシーバとを統合する、通信システム内の相互運用装置が開示されている。
また、特許文献２には、装置間で情報を交換するために周波数が重なった複数のプロトコルが使用される無線ネットワーク内において、送信を調整するためのシステム及び方法が開示されている。
【特許文献１】欧州特許出願公開第１１１９１３７Ａ１号明細書
【特許文献２】米国特許出願公開第２００２／０１３６２３３Ａ１号明細書
【手続補正２】
【補正対象書類名】明細書
【補正対象項目名】００１２
【補正方法】変更
【補正の内容】
【００１２】
本発明には、請求項１に係る方法、請求項１１に係る無線通信装置、及び、請求項１８に係るコンピュータプログラム製品が含まれる。
本発明の１つの実施形態によれば、所定の周波数帯域で動作するように適合された第２のトランシーバによる通信に応じて、所定の周波数帯域で動作するように適合された第１のトランシーバにより適用される少なくとも１つの送信設定を適合させる方法が、優先データトラフィックが第２のトランシーバにより通信されたかどうかを判定するステップを備える。優先データトラフィックが第２のトランシーバにより通信された場合には、この優先データトラフィックに応じて送信設定が適合される。
【手続補正３】
【補正対象書類名】明細書
【補正対象項目名】００３９
【補正方法】変更
【補正の内容】
【００３９】
無線通信装置１は第１と第２のトランシーバ２０、３０（図４）を備える。第１のトランシーバ２０は第１の通信規格に従って通信用として適合させることができる。したがって、第１のトランシーバ２０はＷＬＡＮトランシーバであってもよい。第２のトランシーバ３０は第２の通信規格に従って通信用として適合させることができる。したがって、第２のトランシーバ３０はブルートゥース・トランシーバであってもよい。
【手続補正書】
【提出日】平成20年1月14日(2008.1.14)
【手続補正１】
【補正対象書類名】特許請求の範囲
【補正対象項目名】全文
【補正方法】変更
【補正の内容】
【特許請求の範囲】
【請求項１】
第１のトランシーバ（２０）によって適用される少なくとも１つの送信設定を適合させる方法であり、該第１のトランシーバ（２０）は、複数の物理チャネルレートをサポートする第１の通信規格に準拠して通信し、並びに、第２のトランシーバ（３０）による通信に応じて所定の周波数帯域で動作するように適合され、該第２のトランシーバ（３０）は、前記所定の周波数帯域で動作するように適合され、前記少なくとも１つの送信設定は、前記サポートされている複数の物理チャネルレートのそれぞれに対するフレーム交換時間に対応する、方法であって、
優先データトラフィックが前記第２のトランシーバ（３０）によって通信されたかどうかを判定するステップと、
前記第２のトランシーバによる通信がアクティブでない時間を判定するステップと、
優先データトラフィックが前記第２のトランシーバ（３０）によって通信される場合には、前記優先データトラフィックに応じて前記少なくとも１つの送信設定を適合させて、該適合された送信設定に対応する前記フレーム交換時間が、前記サポートされている複数の物理チャネルレートの中で最も長いフレーム交換時間を有する物理チャネルレートに対するアクティブでない時間以下となるようにする、ステップと、
を備えることを特徴とする方法。
【請求項２】
前記第１のトランシーバとエンドポイントとの間で伝送制御プロトコル（ＴＣＰ）接続を確立するステップをさらに備える
ことを特徴とする請求項１に記載の方法。
【請求項３】
優先データトラフィックが前記第２のトランシーバ（３０）によって通信される場合、前記優先データトラフィック用の少なくとも１つの送信パラメータを決定するステップをさらに備え、
前記適合させるステップは、前記決定した送信パラメータに応じて前記送信設定を適合させるステップを備える
ことを特徴とする請求項１に記載の方法。
【請求項４】
優先データトラフィックが通信されたと判定された場合、前記優先データトラフィックのデューティサイクルであって、前記優先データトラフィック用の送信パラメータであるデューティサイクルを決定するステップをさらに備え、
前記適合させるステップは、前記決定したデューティサイクルに応じて前記送信設定を適合させるステップを備える
ことを特徴とする請求項１に記載の方法。
【請求項５】
前記送信設定を適合させるステップは、前記第１のトランシーバ（２０）によって送信されるようにデータフレームのデータペイロードの最大許容サイズを適合させるステップを備えることを特徴とする請求項１に記載の方法。
【請求項６】
前記データペイロードの最大許容サイズを適合させる前記ステップは、伝送制御プロトコル（ＴＣＰ）の最大送信単位（ＭＴＵ）を適合させるステップを備える
ことを特徴とする請求項５に記載の方法。
【請求項７】
前記適合させるステップは、トランスポート接続を確立するためのネゴシエーション処理時に、任意の適合済みの送信設定を通信するステップを備えることを特徴とする請求項１に記載の方法。
【請求項８】
前記適合させるステップは、任意の適合済みの送信設定の情報と共に、前記第１のトランシーバ（２０）から、前記第１のトランシーバ（２０）が接続されている接続先のエンドポイントへメッセージを送信するステップを備える
ことを特徴とする請求項１に記載の方法。
【請求項９】
メッセージを送信する前記ステップは、最大送信単位（ＭＴＵ）のサイズ情報を含むインターネット制御管理（ＩＣＭＰ）エラーメッセージを送信するステップを備える
ことを特徴とする請求項８に記載の方法。
【請求項１０】
前記適合させるステップは、前記第２のトランシーバ（３０）による優先データトラフィックの開始、又は、優先データトラフィックのタイプの変更に応じて、前記第１のトランシーバ（２０）と、該第１のトランシーバ（２０）が接続されている接続先のエンドポイントとの間の接続を切断するステップと、前記第１のトランシーバ（２０）と前記エンドポイント（２）との間の接続を、任意の適合済みの送信設定を用いて確立するステップとを備えることを特徴とする請求項１に記載の方法。
【請求項１１】
無線通信装置（１）であって、
複数の物理チャネルをサポートする第１の通信規格に準拠して通信し、並びに、所定の周波数帯域で動作するように適合された第１のトランシーバ（２０）であって、前記プロセッサ（２１）を備える第１のトランシーバ（２０）と、
前記所定の周波数帯域で動作するように適合された第２のトランシーバ（３０）と、
を備え、
前記プロセッサ（２１）は、優先データトラフィックが前記第２のトランシーバ（３０）によって通信されたかどうかを判定し、並びに、前記第２のトランシーバによる通信のアクティブでない時間を判定するように適合され、
前記プロセッサ（２１）は、さらに、優先データトラフィックが前記第２のトランシーバ（３０）によって通信されたとき、前記優先データトラフィックに応じて前記第１のトランシーバ（２０）によって適用される少なくとも１つの送信設定を適合させるように適合され、
前記少なくとも１つの送信設定は、前記サポートされている複数の物理チャネルレートのそれぞれに対するフレーム交換時間に対応し、
前記プロセッサは、前記適合された送信設定に対応する前記フレーム交換時間が、前記サポートされている複数の物理チャネルレートの中で最も長いフレーム交換時間を有する物理チャネルレートに対するアクティブでない時間以下となるように、前記少なくとも１つの送信設定を適合させるように適合されている
ことを特徴とする無線通信装置（１）。
【請求項１２】
前記第１のトランシーバは、さらに、伝送制御プロトコル（ＴＣＰ）接続を介してエンドポイントと接続するように適合されている
ことを特徴とする請求項１１に記載の無線通信装置。
【請求項１３】
前記プロセッサ（２１）は、優先データトラフィックが前記第２のトランシーバ（３０）によって通信されたとき、前記優先データトラフィック用の少なくとも１つの送信パラメータを決定するように適合され、次いで、前記決定した送信パラメータに応じて前記送信設定を適合させるように適合されることを特徴とする請求項１１に記載の無線通信装置（１）。
【請求項１４】
前記プロセッサ（２１）は、優先データトラフィックが前記第２のトランシーバ（３０）によって通信されたとき、前記優先データトラフィックのデューティサイクルであって、前記優先データトラフィック用の送信パラメータであるデューティサイクルを決定するように適合され、次いで、前記決定したデューティサイクルに依存して、前記送信設定を適合させるように適合される、ことを特徴とする請求項１１に記載の無線通信装置（１）。
【請求項１５】
前記プロセッサ（２１）は、前記第１のトランシーバ（２０）により送信されるデータフレームのデータペイロードの最大許容サイズを適合させることによって、前記送信設定を適合させるように適合されることを特徴とする請求項１１に記載の無線通信装置（１）。
【請求項１６】
前記プロセッサは、伝送制御プロトコル（ＴＣＰ）の最大送信単位（ＭＴＵ）を適合させることによって、前記送信設定を適合させるように適合されている
ことを特徴とする請求項１５に記載の無線通信装置。
【請求項１７】
前記無線通信装置（１）は、携帯用またはハンドヘルド型の移動無線通信装置と、移動無線端末と、移動電話機と、ページャと、コミュニケータと、電子手帳と、スマートフォンとの少なくともいずれかであることを特徴とする請求項１１に記載の無線通信装置（１）。
【請求項１８】
第１のトランシーバ（２０）によって適用される少なくとも１つの送信設定を適合させるように構成されるコンピュータプログラム製品であって、該第１のトランシーバ（２０）は、複数の物理チャネルレートをサポートする第１の通信規格に準拠して通信し、並びに、第２のトランシーバ（３０）による通信に応じて、所定の周波数帯域で動作するように適合され、該第２のトランシーバ（３０）は前記所定の周波数帯域で動作するように適合され、前記少なくとも１つの送信設定は、前記サポートされている複数の物理チャネルレートのそれぞれに対するフレーム交換時間に対応する、コンピュータプログラム製品であって、
コンピュータ可読記憶媒体に実装されているコンピュータ可読プログラムコードを有するコンピュータ可読記憶媒体を備え、
前記コンピュータ可読プログラムコードは、
優先データトラフィックが前記第２のトランシーバ（３０）によって通信されたかどうかを判定するように構成されるコンピュータ可読プログラムコードと、
前記第２のトランシーバによる通信がアクティブでない時間を判定するように構成されるコンピュータ可読プログラムコードと、
優先データトラフィックが前記第２のトランシーバ（３０）によって通信された場合、前記優先データトラフィックに応じて前記少なくとも１つの送信設定を適合させて、該適合された送信設定に対応する前記フレーム交換時間が、前記サポートされている複数の物理チャネルレートの中で最も長いフレーム交換時間を有する物理チャネルレートに対するアクティブでない時間以下となるようにするように構成されるコンピュータ可読プログラムコードと、
を備えることを特徴とするコンピュータプログラム製品。
【請求項１９】
前記コンピュータ可読記憶媒体は、前記第１のトランシーバとエンドポイントとの間で伝送制御プロトコル（ＴＣＰ）接続を確立するように構成されるコンピュータ可読プログラムコードをさらに備える
ことを特徴とする請求項１８に記載のコンピュータプログラム製品。
【請求項２０】
優先データトラフィックが前記第２のトランシーバ（３０）によって通信される場合、前記優先データトラフィック用の少なくとも１つの送信パラメータを決定するように構成されるコンピュータ可読プログラムコードをさらに備えるコンピュータプログラム製品であって、
前記送信設定を適合させるように構成される前記コンピュータ可読プログラムコードは、前記送信設定を適合させる前記ステップを前記決定した送信パラメータに応じて実行する
ことを特徴とする請求項１８に記載のコンピュータプログラム製品。
【請求項２１】
優先データトラフィックが通信されたと判定された場合、前記優先データトラフィックのデューティサイクルであって、前記優先データトラフィック用の送信パラメータであるデューティサイクルを決定するように構成されるコンピュータ可読プログラムコードをさらに備え、
前記送信設定を適合させるように構成される前記コンピュータ可読プログラムコードは、前記送信設定を適合させる前記ステップを前記決定したデューティサイクルに応じて実行する
ことを特徴とする請求項１８に記載のコンピュータプログラム製品。
【請求項２２】
前記送信設定を適合させるように構成される前記コンピュータ可読プログラムコードは、前記第１のトランシーバ（２０）により送信されるデータフレームのデータペイロードの最大許容サイズを適合させるように構成されるコンピュータ可読コードを備えることを特徴とする請求項１８に記載のコンピュータプログラム製品。
【請求項２３】
データペイロードの最大許容サイズを適合させるように構成される前記コンピュータ可読プログラムコードは、伝送制御プロトコル（ＴＣＰ）の最大送信単位（ＭＴＵ）を適合させるように構成されたコンピュータ可読コードを備える
ことを特徴とする請求項２２に記載のコンピュータプログラム製品。
【請求項２４】
前記送信設定を適合させるように構成される前記コンピュータ可読プログラムコードは、トランスポート接続を確立するためのネゴシエーション処理時に、任意の送信設定を通信するように構成されるコンピュータ可読コードを備えることを特徴とする請求項１８に記載のコンピュータプログラム製品。
【請求項２５】
前記送信設定を適合させるように構成される前記コンピュータ可読プログラムコードは、任意の適合済みの送信設定の情報と共に、前記第１のトランシーバ（２０）から、前記第１のトランシーバが接続される接続先のエンドポイントへメッセージを送信するように構成されるコンピュータ可読コードを備えることを特徴とする請求項１８に記載のコンピュータプログラム製品。
【請求項２６】
メッセージを送信するように構成される前記コンピュータ可読プログラムコードは、最大送信単位（ＭＴＵ）のサイズ情報を含むインターネット制御管理（ＩＣＭＰ）エラーメッセージを送信するように構成されるコンピュータ可読コードを備える
ことを特徴とする請求項２５に記載のコンピュータプログラム製品。
【国際調査報告】
2009510819.tif 000008
2009510819.tif 000009
2009510819.tif 000010